(57)【要約】【課題】アンテナの大型化を抑える、且つ、表示パネルへの外光の写り込みを抑えて表示パネルの視認性を向上させた測位装置を提供する。【解決手段】ナビゲーション装置１は、本体に対して着脱自在に構成した庇部材１１にＧＰＳ信号を受信するためのアンテナ１０を設けている。このため、受信部３と、アンテナ１０との距離が抑えられ、その結果、伝送損失を抑えることができる。また、ナビゲーション装置１本体を大型化することなく、十分な利得が得られるアンテナの有効面積を確保することができる。また、庇部材１１や、側壁部材１２によって、表示パネル６ａに照射される外光が抑えられ、表示パネルの視認性を向上させることができる。【選択図】図１
2009089309.tif 000002
【特許請求の範囲】
【請求項１】
複数のＧＰＳ衛星から送出されているＧＰＳ信号を受信する受信部と、
前記受信部で受信されたＧＰＳ信号を用いて、装置本体の現在位置を測位する測位部と、
前記測位部で測位された装置本体の現在位置を表示パネルに表示する表示部と、を備えた測位装置において、
前記表示部の表示パネルの前方に突出させ、且つ前記表示パネルの上方に取り付けた、前記表示パネルの横方向に延びる平板の庇部材を備え、
前記庇部材には、前記受信部がＧＰＳ信号を受信するためのアンテナが設けられている、測位装置。
【請求項２】
前記表示部の表示パネルの少なくとも一方の側部に、前記表示パネルの前方に突出させ、前記表示パネルの縦方向に延びる平板の側壁部材を取り付けた、請求項１に記載の測位装置。
【請求項３】
前記表示部には、前記表示パネルの上方に凹部が形成されており、
前記庇部材には、その端部に、前記表示部の前記凹部に嵌挿して、前記表示部に取り付ける突起部が形成されている、請求項１または２に記載の測位装置。
【請求項４】
前記表示部の前記凹部、および前記庇部材の前記突起部には、それぞれ電極が形成されており、
前記庇部材の前記突起部を、前記表示部の前記凹部に嵌挿したときに、この庇部材に設けられているアンテナと、前記受信部と、が前記電極によって、電気的に接続される、請求項３に記載の測位装置。
【発明の詳細な説明】
【技術分野】
【０００１】
この発明は、ＧＰＳ（Ｇｌｏｂａｌ  Ｐｏｓｉｔｉｏｎｉｎｇ  Ｓｙｓｔｅｍ）を利用して現在位置を測位し、測位結果を表示する測位装置に関する。
【背景技術】
【０００２】
従来、ＧＰＳ（Ｇｌｏｂａｌ  Ｐｏｓｉｔｉｏｎｉｎｇ  Ｓｙｓｔｅｍ）を利用して現在位置を測位する測位装置が実用化されている。この種の測位装置は、周知のように、少なくとも３機のＧＰＳ衛星から発信されたＧＰＳ信号を受信し、これらのＧＰＳ信号を用いて自機（受信機）の位置を測位している。ＧＰＳ衛星は、衛星の軌道情報であるアルマナックデータ、および衛星の詳細軌道情報と信号の発信時刻を示すエフェメリスデータをＧＰＳ信号に重畳して電波で発信している。測位装置は、ＧＰＳ信号を受信した３機のＧＰＳ衛星について本体との距離を算出し、ここで算出した距離を用いた三角交差法により本体の位置（現在位置）を測位する。この測位装置は、目的地までの移動経路を案内するナビゲーション装置等に適用されている。
【０００３】
また、ＧＰＳ信号を受信するためのアンテナを本体と別体に構成し、本体とアンテナとをケーブルで接続していた。例えば、車両に搭載するナビゲーション装置では、フロントガラス等に、フィルムアンテナを装着し、このアンテナと装置本体とをケーブルで接続していた。フィルムアンテナについては、特許文献１、２等で提案されている。
【特許文献１】特表２００５−５３８６６１号公報
【特許文献２】特開２００３−２８０８１５号公報
【発明の開示】
【発明が解決しようとする課題】
【０００４】
しかしながら、測位装置本体とアンテナとを接続するケーブルが長くなるにつれて、伝送損失が大きくなることから、その分だけアンテナの利得を大きくする必要がある。すなわち、アンテナの有効面積を大きくする必要がある。言い換えれば、本体と別体に構成するアンテナを小型化するには、測位装置本体とアンテナとを接続するケーブルを短くする必要があり、その結果アンテナの取り付け位置が制約される（アンテナを本体近くに設けなければならない。）。
【０００５】
なお、アンテナを測位装置本体に内蔵することも提案されているが、装置本体にアンテナを収納するスペースが必要になることから、装置本体の大型化を招くという問題がある。
【０００６】
また、一般的なナビゲーション装置では、目的地までの移動経路を案内するために、表示部において、現在位置や、目的地までの移動経路を地図上に表示することが行われているが、表示パネルへの外光の写り込みによって、ユーザの視認性を低下させるという問題もある。
【０００７】
この発明の目的は、アンテナの大型化を抑える、且つ、表示パネルへの外光の写り込みを抑えて表示パネルの視認性を向上させた測位装置を提供することにある。
【課題を解決するための手段】
【０００８】
この発明の測位装置は、上記課題を解決し、その目的を達するために、以下のように構成している。
【０００９】
受信部が、複数のＧＰＳ衛星から送出されているＧＰＳ信号を受信する。測位部が、前記受信部で受信されたＧＰＳ信号を用いて、装置本体の現在位置を測位する。そして、表示部が、前記測位部で測位された装置本体の現在位置を表示パネルに表示する。
【００１０】
また、庇部材が、前記表示パネルの上方に取り付けられている。この庇部材は、表示パネルの横方向に延びる平板であり、前記表示部の前記表示パネルの前方に突出させて取り付けている。さらに、この庇部材には、前記受信部がＧＰＳ信号を受信するためのアンテナが設けられている。
【００１１】
このように、ＧＰＳ信号を受信するためのアンテナを、庇部材に設けたので、本体とアンテナとの距離が抑えられるので、アンテナの大型化を抑えることができる。また、この庇部材によって、表示パネルへの外光の写り込みが抑えられるので、表示パネルに表示されている画像の視認性の向上が図れる。また、アンテナを装置本体に内蔵する構成でないので、装置本体が大型化することもない。
【００１２】
なお、庇部材は、遮光性が高い部材で構成するのが好ましい。
【００１３】
また、前記表示部の表示パネルの少なくとも一方の側部に、前記表示パネルの前方に突出させ、前記表示パネルの縦方向に延びる平板の側壁部材を取り付け、表示パネルへの外光の写り込みを一層抑えるようにしてもよい。この側壁部材も、遮光性が高い部材で構成するのが好ましい。
【００１４】
また、庇部材や、側壁部材については、本体に対して着脱自在に構成してもよい。さらに、この場合には、庇部材を本体に装着したときに、アンテナと受信部とが電気的に接続されるように構成し、ユーザの使い勝手の低下を防止するのが好ましい。
【発明の効果】
【００１５】
この発明によれば、アンテナの大型化を抑え、且つ、表示パネルへの外光の写り込みを抑えて表示パネルの視認性を向上させることができる。
【発明を実施するための最良の形態】
【００１６】
以下、この発明にかかる測位装置を適用したナビゲーション装置について説明する。
【００１７】
図１は、ナビゲーション装置の主要部の構成を示すブロック図である。ナビゲーション装置１は、制御部２と、受信部３と、表示制御部４と、地図データベース５（以下、地図ＤＢと言う。）と、表示部６と、アンテナ１０と、を備えている。このナビゲーション装置１は、ユーザに対して目的地までの経路案内等を行う装置である。制御部２は、本体各部の動作を制御するとともに、装置本体の現在位置を測位する演算等を行う。受信部３は、ＧＰＳ衛星から発信されたＧＰＳ信号の受信処理を行う。ＧＰＳ信号は、アンテナ１０で受信され、受信部３に入力される。制御部２は、受信部３で受信処理されたＧＰＳ信号を用いて、装置本体の位置を測位する演算を行う。
【００１８】
地図ＤＢ５は、地図データを記憶している。表示部６は、液晶やプラズマ等の表示パネル６ａを有している。表示制御部４は、表示部６の表示パネル６ａにおける画像表示を制御する。例えば、制御部２で測位された装置本体の現在位置を、その周辺の地図画像に重ねた画像や、現在位置から、設定されている目的地までの移動経路を地図画像に重ねた画像を、表示パネル６ａに表示する。表示制御部４は、地図ＤＢ５に記憶している地図データから地図画像を得る。地図ＤＢ５が記憶している地図データは、ユーザが必要に応じて更新することができる。
【００１９】
このナビゲーション装置１における測位処理は、公知であるので、ここでは、簡単に説明しておく。ナビゲーション装置１は、受信部３において、少なくとも３機のＧＰＳ衛星から発信されたＧＰＳ信号を受信する。ＧＰＳ信号には、衛星の軌道情報であるアルマナックデータや、衛星の詳細軌道情報と信号の発信時刻を示すエフェメリスデータ等が含まれている。制御部２は、ＧＰＳ信号を受信したＧＰＳ衛星毎に、装置本体との距離を算出する。そして、制御部２は、各ＧＰＳ衛星が今回受信したＧＰＳ信号を発信したときの位置、および今回算出した各ＧＰＳ衛星との距離を用いた三角交差法により本体の位置（緯度、軽度）を演算し、これを測位結果（ナビゲーション装置１本体の現在位置）とする。
【００２０】
図２は、このナビゲーション装置の外観を示す概略図である。図２（Ａ）は、正面図であり、図２（Ｂ）は側面図である。図２に示すようにナビゲーション装置１本体は、前面に表示パネル６ａが配置されている。また、表示パネル６ａの上方には、庇部材１１が取り付けられており、表示パネル６ａの両側部には、それぞれ、側壁部材１２が取り付けられている。庇部材１１、および側壁部材１２は、平板である。庇部材１１、および側壁部材１２は、図示するように、表示パネル６ａの前方に突出させて取り付けている。すなわち、表示パネル６ａは、庇部材１１、および側壁部材１２によって、３方が囲まれている。
【００２１】
また、庇部材１１、および側壁部材１２は、ナビゲーション装置１本体に対して着脱自在に構成されている。図３は、庇部材を示す図である。庇部材１１は、図３に示すように、外形形状が凸形状である。庇部材１１は、突起している部分１１ａ（以下、突起部１１ａと言う。）を利用して、ナビゲーション装置１本体に取り付けられる。また、庇部材１１は、上面にアンテナ１０が設けられている。このアンテナ１０は、庇部材１１の上面に貼付したフィルムアンテナであってもよいし、この庇部材１１に一体的に形成したアンテナであってもよい。庇部材１１の幅は、ナビゲーション装置１本体の幅と略同じである。さらに、アンテナ１０の接続電極１１ｂが突起部１１ａに形成されている。また、側壁部材１２は、図４に示すように、略３角形状であるが、１辺に突起部１２ａを有する形状である。側壁部材１２は、突起部１２ａを利用して、ナビゲーション装置１本体に取り付けられる。突起部１２ａが設けられている辺は、ナビゲーション装置１本体の高さと略同じである。庇部材１１、および側壁部材１２は、比較的遮光性の高い部材で構成されている。
【００２２】
図５は、庇部材、および側壁部材を取り外したナビゲーション装置本体の正面図である。図５に示すように、ナビゲーション装置１本体の表示パネル６ａの上方には、凹部２１が形成されている。この凹部２１は、庇部材１１の突起部１１ａと略同じ形状である。庇部材１１は、突起部１１ａを凹部２１に嵌挿することにより、ナビゲーション装置１本体に取り付けられる。また、凹部２１には、嵌挿された突起部１１ａに形成されている接続電極１１ｂと電機的に接続される接続電極２１ｂが形成されている。この接続電極２１ｂは、アンテナ１０を受信部３に電気的に接続する電極である。すなわち、庇部材１１をナビゲーション装置１本体に取り付けることにより、庇部材１１に設けられているアンテナ１０と、受信部３と、が電気的に接続される。
【００２３】
また、ナビゲーション装置１本体の表示パネル６ａの両側部には、それぞれ凹部２２が形成されている。この凹部２２は、側壁部材１２の突起部１２ａと略同じ形状である。側壁部材１２は、突起部１２ａを凹部２２に嵌挿することにより、ナビゲーション装置１本体に取り付けられる。
【００２４】
このように、この実施形態のナビゲーション装置１は、本体に対して着脱自在に構成した庇部材１１にＧＰＳ信号を受信するためのアンテナ１０を設けているので、受信部３と、アンテナ１０との距離が抑えられ、その結果、アンテナ１０で受信したＧＰＳ信号の伝送損失を抑えることができ、その結果、アンテナ１０の大型化が抑えられる。また、アンテナ１０を、ナビゲーション装置１本体に内蔵する構成でないので、ナビゲーション装置１本体を大型化することなく、十分な利得が得られるアンテナの有効面積を確保することができる。すなわち、十分な利得が得られるアンテナの有効面積に応じて、庇部材１１の表面積（すなわち、庇部材１１の大きさ）を決めることができる。また、庇部材１１や、側壁部材１２によって、表示パネル６ａに照射される外光が抑えられるので、その結果、表示パネル６ａにおける外光の写り込みが抑制でき、表示パネル６ａに表示されている画像の視認性を向上させることができる。
【００２５】
また、このナビゲーション装置１では、庇部材１１、および２枚の側壁部材１２が、本体に対して個別に着脱できるので、表示パネル６ａを右方向から見るときには、右側の側壁部材１２をナビゲーション装置１本体から外し、反対に表示パネル６ａを左方向から見るときには、左側の側壁部材１２をナビゲーション装置１本体から外すことによって、表示パネル６ａに表示されている画像を見るユーザの視野角を確保することができる。
【００２６】
また、庇部材１１、および２枚の側壁部材１２を、ナビゲーション装置１本体から取り外すことにより、持ち運びにも便利である。
【００２７】
また、庇部材１１をナビゲーション装置１本体に装着するだけで、アンテナ１０と受信部３とを電気的に接続できる。すなわち、ユーザは、アンテナ１０と受信部３とを電気的に接続する作業を行う必要がない。したがって、ユーザの使い勝手を低下させることもない。
【００２８】
なお、上記実施形態では、庇部材１１、および２枚の側壁部材１２を、個別の部材で構成したが、これらは一体化されたものであってもよい。また、上記実施形態では、この発明にかかる測位装置を、ナビゲーション装置１に適用して説明したが、これに限らず、他の装置にも適用できる。
【図面の簡単な説明】
【００２９】
【図１】ナビゲーション装置の主要部の構成を示すブロック図である。
【図２】ナビゲーション装置の外観を示す概略図である。
【図３】庇部材を示す図である。
【図４】側壁部材を示す図である。
【図５】庇部材、および側壁部材を取り外したナビゲーション装置本体の正面図である。
【符号の説明】
【００３０】
１−ナビゲーション装置
２−制御部
３−受信部
４−表示制御部
５−地図データベース（地図ＤＢ）
６−表示部６
１０−アンテナ
１１−庇部材
１１ａ−突起部
１１ｂ−接続電極
１２−側壁部材
１２ａ−突起部
２１、２２−凹部
２１ｂ−接続電極
【図１】
2009089309.tif 000003
【図２】
2009089309.tif 000004
【図３】
2009089309.tif 000005
【図４】
2009089309.tif 000006
【図５】
2009089309.tif 000007